(57)【特許請求の範囲】
【請求項１】
開口を有する箱状又は枠状をなす配線器具取付体が、建築物内の壁材裏に設置され、同配線器具取付体の開口を前記壁材の表側に臨ませる透孔を当該壁材に穿設する透孔穿設方法であって、
ビット軸の回転により前記壁材を切除する切除刃部と、同切除刃部の先端側に設けられた非切除部と、切除刃部の壁材裏側への入り込みを規制すべく壁材表面に当接する当接体とよりなる穿孔ビットを、前記非切除部が前記配線器具取付体の開口内に配置されるように壁材を貫通させ、壁材表面に当接体を当接させるとともに配線器具取付体の開口を形成する周壁の内面の開口側全周に亘って設けられたガイド部に当該非切除部を当接させた状態で切除刃部を回転させながら当該ガイド部に非切除部を案内させて穿孔ビットを移動させることにより、非切除部と当接体との間に露出した切除刃部が前記開口の内周形状に沿って壁材を切除して配線器具取付体の開口を壁材の表側に臨ませるべく同開口の内周形状に対応する透孔を当該壁材に穿設することを特徴とする透孔穿設方法。
【請求項２】
建築物内の壁材裏に設置される配線器具取付体の開口を使用して同配線器具取付体の開口を前記壁材の表側に臨ませる透孔を当該壁材に穿設するための透孔穿設装置であって、
回転により壁材を切除可能な穿孔ビットを備え、その穿孔ビットはビット軸の回転により前記壁材を切除可能に形成された切除刃部と、同切除刃部の先端側に設けられた非切除部と、切除刃部の壁材裏側への入り込みを規制すべく壁材表面に当接する当接体とから構成されているとともに、
前記配線器具取付体は開口を有する箱状又は枠状に形成され、その配線器具取付体には前記非切除部が当接した状態で当該非切除部を前記開口の内周形状に沿って案内するガイド部が周壁の内面の開口側全周に亘って形成され、
前記非切除部が配線器具取付体の開口内に配置されるように壁材を貫通させ、壁材表面に当接体を当接させるとともに非切除部をガイド部に当接させた状態で切除刃部を回転させながら当該ガイド部に非切除部を案内させて穿孔ビットを移動させることにより、非切除部と当接体との間に露出した切除刃部が前記開口の内周形状に沿って壁材を切除して配線器具取付体の開口を壁材の表側に臨ませるべく同開口の内周形状に対応する透孔を当該壁材に穿設可能に構成した配線器具取付体を使用する透孔穿設装置。
【請求項３】
前記当接体は、同当接体と非切除部との間の距離を、壁材の厚みに対応して調整可能とすべく前記ビット軸に沿って移動可能に設けられている請求項２に記載の配線器具取付体を使用する透孔穿設装置。
【請求項４】
前記配線器具取付体は開口を有する有底箱状に形成されている請求項２又は請求項３に記載の配線器具取付体を使用する透孔穿設装置。
【請求項５】
前記配線器具取付体は、同配線器具取付体の開口側に配線器具を取付可能とすべく相対向する少なくとも一対の配線器具取付部を備え、前記ガイド部に沿って移動する非切除部が通過可能な通路を形成すべく配線器具取付部は少なくとも先端部が前記ガイド部から離れた位置に配置されている又は配線器具取付体から取り外されている請求項２〜請求項４のいずれか一項に記載の配線器具取付体を使用する透孔穿設装置。
【発明の詳細な説明】
【０００１】
【発明の属する技術分野】
この発明は、建築物内の壁材裏に設置された配線器具取付体の前面開口を前記壁材の表側に臨ませる透孔を当該壁材に穿設する透孔穿設方法及び配線器具取付体を使用する透孔穿設装置に関するものである。
【０００２】
【従来の技術】
従来より、建築物内の壁材表面にコンセント等の配線器具を取り付けるため、開口を有する有底箱状をなす配線器具取付体としての配線用ボックスがその開口が壁材側へ臨む状態で壁材の裏側に設置されている。配線用ボックス内に前記開口から配線器具を収容して取付けるために、前記開口が壁材の表側に臨むように鋸等が使用されて壁材に透孔が穿設される。
【０００３】
しかし、鋸等を使用した透孔の穿設作業は、配線用ボックスの開口に沿って鋸により壁材を切断しながら移動させて、壁材に開口に沿った切り込みを形成し、その切り込みの内側部分を除去しなければならず、非常に面倒かつ困難であった。そこで、本発明者らは特許第３０５４７３０号に開示される透孔穿設具を提案した。この透孔穿設具は一度の穿設作業により壁材に円形状の透孔を穿設することができるものである。使用方法としては、まず、配線用ボックス内に予め設置されている磁石を磁石探知器等により探知して壁裏側の配線用ボックスの位置を探知する。次いで、その磁石を中心点として透孔穿設具を使用して円形状の透孔を穿設する。
【０００４】
【発明が解決しようとする課題】
ところが、上記従来の透孔穿設具を使用した透孔の穿設方法においては、探知された磁石を透孔の中心点に設定し透孔を穿設する。そのため、磁石探知器の精度が低い、作業者の探知ミス等の原因により磁石の位置が誤って探知されると、穿設される透孔の位置と配線用ボックスの開口の位置とがずれてしまうおそれがある。この場合、壁材の表側から配線用ボックス内への配線器具の収容が不可能になったり、取付作業が行いにくくなったりするといった不具合が生じてしまうという問題があった。また、透孔穿設具を使用すると一度の穿設作業により壁材に円形状の透孔が穿設されてしまうため、その修正等が行いにくく、壁材表面に取り付けられる化粧プレートにより透孔が被覆されず、透孔が露出したりするといった不具合が生じてしまうという問題があった。
【０００５】
この発明は、このような従来技術に存在する問題点に着目してなされたものである。その目的とするところは、配線器具取付体の開口の内周形状に沿った透孔を壁材に容易且つ正確に穿設して、開口と透孔の不一致に起因する不具合をなくすことができる透孔穿設方法及び配線器具取付体を使用する透孔穿設装置を提供することにある。
【０００６】
【課題を解決するための手段】
上記の目的を達成するために、請求項１に記載の発明の透孔穿設方法は、開口を有する箱状又は枠状をなす配線器具取付体が、建築物内の壁材裏に設置され、同配線器具取付体の開口を前記壁材の表側に臨ませる透孔を当該壁材に穿設する透孔穿設方法であって、ビット軸の回転により前記壁材を切除する切除刃部と、同切除刃部の先端側に設けられた非切除部と、切除刃部の壁材裏側への入り込みを規制すべく壁材表面に当接する当接体とよりなる穿孔ビットを、前記非切除部が前記配線器具取付体の開口内に配置されるように壁材を貫通させ、壁材表面に当接体を当接させるとともに配線器具取付体の開口を形成する周壁の内面の開口側全周に亘って設けられたガイド部に当該非切除部を当接させた状態で切除刃部を回転させながら当該ガイド部に非切除部を案内させて穿孔ビットを移動させることにより、非切除部と当接体との間に露出した切除刃部が前記開口の内周形状に沿って壁材を切除して配線器具取付体の開口を壁材の表側に臨ませるべく同開口の内周形状に対応する透孔を当該壁材に穿設することを特徴とするものである。
【０００７】
請求項２に記載の発明の配線器具取付体を使用する透孔穿設装置は、建築物内の壁材裏に設置される配線器具取付体の開口を使用して同配線器具取付体の開口を前記壁材の表側に臨ませる透孔を当該壁材に穿設するための透孔穿設装置であって、回転により壁材を切除可能な穿孔ビットを備え、その穿孔ビットはビット軸の回転により前記壁材を切除可能に形成された切除刃部と、同切除刃部の先端側に設けられた非切除部と、切除刃部の壁材裏側への入り込みを規制すべく壁材表面に当接する当接体とから構成されているとともに、前記配線器具取付体は開口を有する箱状又は枠状に形成され、その配線器具取付体には前記非切除部が当接した状態で当該非切除部を前記開口の内周形状に沿って案内するガイド部が周壁の内面の開口側全周に亘って形成され、前記非切除部が配線器具取付体の開口内に配置されるように壁材を貫通させ、壁材表面に当接体を当接させるとともに非切除部をガイド部に当接させた状態で切除刃部を回転させながら当該ガイド部に非切除部を案内させて穿孔ビットを移動させることにより、非切除部と当接体との間に露出した切除刃部が前記開口の内周形状に沿って壁材を切除して配線器具取付体の開口を壁材の表側に臨ませるべく同開口の内周形状に対応する透孔を当該壁材に穿設可能に構成したものである。
【０００９】
請求項３に記載の発明の配線器具取付体を使用する透孔穿設装置は、請求項２に記載の発明において、前記当接体は、同当接体と非切除部との間の距離を、壁材の厚みに対応して調整可能とすべく前記ビット軸に沿って移動可能に設けられているものである。
【００１０】
請求項４に記載の発明の配線器具取付体を使用する透孔穿設装置は、請求項２又は請求項３に記載の発明において、前記配線器具取付体は開口を有する有底箱状に形成されているものである。
【００１１】
請求項５に記載の発明の配線器具取付体を使用する透孔穿設装置は、請求項２〜請求項４のいずれか一項に記載の発明において、前記配線器具取付体は、同配線器具取付体の開口側に配線器具を取付可能とすべく相対向する少なくとも一対の配線器具取付部を備え、前記ガイド部に沿って移動する非切除部が通過可能な通路を形成すべく配線器具取付部は少なくとも先端部が前記ガイド部から離れた位置に配置されている又は配線器具取付体から取り外されているものである。
【００１２】
【発明の実施の形態】
以下、この発明の実施形態を図面に基づいて詳細に説明する。
まず、配線器具取付体としての配線用ボックスが設置される場所について説明すると、図２に示すように、配線用ボックス１１は建築物内に立設された柱１２に取り付けられ、その配線用ボックス１１及び柱１２の前方位置には壁材１３が設置されている。そして、配線用ボックス１１は前記壁材１３の裏側に設置されている。
【００１３】
次に、配線用ボックス１１を使用する透孔穿設装置１０（以下、単に透孔穿設装置１０と称する）について説明すると、透孔穿設装置１０は前記配線用ボックス１１の開口を使用して同配線用ボックス１１の開口を前記壁材１３の表側に臨ませる透孔を当該壁材１３に穿設するものである。具体的には、図１（ａ）に示すように、切除工具１０ａの回転により壁材１３を切除可能な穿孔ビット１４を備え、その穿孔ビット１４はビット軸１５の回転により前記壁材１３を切除可能に形成された切除刃部１６と、同切除刃部１６の先端側に設けられた非切除部１７とから構成されているものである。
【００１４】
前記穿孔ビット１４について説明すると、図１（ａ）、（ｂ）に示すように、穿孔ビット１４は金属材料製の棒状をなすビット軸１５を備えている。このビット軸１５の先端側｛図１（ａ）では左端側｝には、同ビット軸１５の軸線方向に沿って断面三日月形状に延びる切刃１５ａと、断面略紡錘形状に延びるポスト１５ｂとが両者の間に隙間を有する状態で並設されて切除刃部１６が構成されている。前記切除刃部１６の先端部、即ち、切刃１５ａ及びポスト１５ｂの先端部にはそれらの外周面を被覆して円環状をなす非切除部１７が取り付けられている。
【００１５】
ビット軸１５の基端側｛図１（ａ）では右端側｝には略円柱状をなし、図１に２点鎖線に示す切除工具１０ａの先端に取付可能なシャンク１５ｃが設けられている。前記ビット軸１５には、同ビット軸１５の外周面の一部をそのビット軸１５の軸線方向に沿って被覆する円筒状のスリーブ１８が当接体として装着され、そのスリーブ１８はビット軸１５の軸線方向に沿って移動可能に設けられている。また、スリーブ１８の両側外端面のうち、ビット軸１５の切除刃部１６側の外端面には、前記壁材１３表面に当接可能な当接面１８ａが形成されている。さらに、スリーブ１８の外面には、同スリーブ１８の壁部を貫通してねじ孔１８ｂが形成され、そのねじ孔１８ｂの内周面には雌ねじ（図示せず）が螺刻されている。
【００１６】
そして、スリーブ１８をビット軸１５に沿って移動させることにより、スリーブ１８のビット軸１５に沿った位置を調整して当接面１８ａと非切除部１７との間の距離、即ち切除刃部１６の露出長さを壁材１３の厚みに対応させて調整可能に構成されている。さらに、スリーブ１８の位置調整後、ねじ孔１８ｂに止めねじ１８ｃを螺合して止めねじ１８ｃの先端をシャンク１５ｃ外面に押し付けることによりスリーブ１８をビット軸１５に位置決めして、前記切除刃部１６の露出長さを維持可能に構成されている。そして、スリーブ１８の位置を調整することにより切除刃部１６の露出長さを切除する壁材１３の厚みに対応させることができる。
【００１７】
上記構成の穿孔ビット１４において、シャンク１５ｃを切除工具１０ａの先端側にセットすることにより透孔穿設装置１０が構成され、切除工具１０ａにより穿孔ビット１４を回転させることができるように構成されている。即ち、穿孔ビット１４の回転に伴い切除刃部１６を回転させて、その切除刃部１６の回転により壁材１３を切除することができる。
【００１８】
続いて、前記配線用ボックス１１について説明すると、図２及び図３に示すように、合成樹脂材料製の配線用ボックス１１は前面に開口を有する有底四角箱状のボックス本体１９を備えている。図３に示すように、ボックス本体１９の底壁２０は正面長方形状をなし、底壁２０の周縁には、その底壁２０の各辺に対応する側壁２１〜２４が前方に向けて底壁２０に対し略垂直に立設され、それら側壁２１〜２４によりボックス本体１９、即ち配線用ボックス１１の周壁が形成されている。図４に示すように、前記周壁の内面の開口側全周には、前記非切除部１７が当接した状態で、同非切除部１７の配線用ボックス１１の開口の内周形状に沿った移動、即ち切除刃部１６の移動を案内するガイド部２５が設けられている。
【００１９】
図２に示すように、前記ボックス本体１９の上下両側壁２１，２２の相対向する両側部には、それぞれボックス本体１９内にケーブル２６が配線可能な配線貫通孔２７が形成されている。図３に破線及び図４に示すように、底壁２０の上下中央部には、それぞれボックス本体１９の開口側へ突設された略円筒状をなし、配線用ボックス１１の開口側に配線器具を取付可能とする相対向する一対の配線器具取付部２８が一体形成されている。各配線器具取付部２８の開口側端面、即ち先端面には取付孔２８ａが形成されている。また、前記取付孔２８ａは、配線用ボックス１１の前面開口側に臨み、図４に示すように、各配線器具取付部２８内には、取付孔２８ａから挿通される図示しない固定用ビスの雄ねじが螺合可能な雌ねじが螺刻された雌ねじ部２８ｂが形成されている。
【００２０】
各配線器具取付部２８はその先端側がガイド部２５から離れた位置、即ち配線用ボックス１１の開口から底壁２０側へ後退した位置に形成されている。そして、上側壁２１又は下側壁２２の前記ガイド部２５の近傍位置には、ガイド部２５に沿って移動する非切除部１７が通過可能な通路が形成されている。
【００２１】
左側壁２３には長孔状のビス孔２３ａが所定間隔をおいて３箇所に貫通形成され、図５に示すように、前記ビス孔２３ａからビス２９を前記柱１２に対して固定することにより、配線用ボックス１１をその柱１２に取付可能に構成されている。
【００２２】
図３に示すように、上側壁２１の下側及び下側壁２２の上側には、右側壁２４の端面及び左側壁２３の端面間に架設され、上側壁２１及び下側壁２２の左右方向に沿って延びるアルミニウム箔製の探知フィルム３０が探知手段として架設されている。そして、金属探知器等により、探知フィルム３０の位置を壁材１３の表側から探知可能に構成されている。探知フィルム３０は前記穿孔ビット１４を使用して壁材１３を切除するとき、除去可能になっている。なお、探知手段として探知フィルム３０の代わりに磁石をボックス本体１９内に設置してもよい。
【００２３】
さて、前記透孔穿設装置１０を使用した透孔穿設方法について説明する。
まず、図２に示すように、周壁の開口側端面と柱１２の前面とが面一となるように配線用ボックス１１を柱１２に取付け、さらに、ケーブル２６を配線貫通孔２７を通過させて配線用ボックス１１内に引き込む。次いで、配線用ボックス１１の前方位置に壁材１３を設置し、配線用ボックス１１を壁材１３の裏側に配置する。
【００２４】
次いで、図示しない金属探知器等により探知フィルム３０の位置を探知し、配線用ボックス１１の開口の位置を想定する。次に、壁材１３の表側から配線用ボックス１１の開口内の任意の位置に、穿孔ビット１４が通過可能であるとともに、壁材１３を貫通する孔を穿孔ドリル、キリ等の孔あけ工具を使用して形成する。なお、切除刃部１６の先端部を非切除部１７の先端面より突出させてその切除刃部１６により壁材１３を貫通する孔を形成してもよい。
【００２５】
続いて、孔内に定規等を挿入して壁材１３の厚みを測定し、その壁材１３の厚みと、非切除部１７の内端面からスリーブ１８の当接面１８ａまでの距離、即ち切除刃部１６の露出長さとが対応するようにスリーブ１８の位置を調整する。そして、当接面１８ａの位置調整後、スリーブ１８をビット軸１５に位置決めし、その穿孔ビット１４のシャンク１５ｃを切除工具１０ａの先端部に回転可能にセットする。
【００２６】
次いで、配線用ボックス１１の開口内に非切除部１７が配置されるように、非切除部１７及び切除刃部１６を前記孔内に挿入して壁材１３を貫通させる。すると、スリーブ１８の当接面１８ａが壁材１３の表面に当接して、その当接状態を維持し、切除刃部１６の壁材１３裏側への入り込みが規制される。また、このとき、当接面１８ａと非切除部１７との距離は壁材１３の厚みに対応しているため、非切除部１７は壁材１３の裏面から突出して配線用ボックス１１内に配置され、切除刃部１６はその軸線方向への長さが壁材１３の厚みと対応する位置に配置される。そして、切除工具１０ａにより穿孔ビット１４を回転させ、切除刃部１６により壁材１３を切除しながら切除工具１０ａを介して穿孔ビット１４を周壁側へ移動させる。
【００２７】
すると、非切除部１７が周壁内面、即ちガイド部２５に当接する。このとき、配線器具取付部２８の先端面はガイド部２５より底壁２０側へ後退した位置に配置されている。そのため、穿孔ビット１４を周壁のうちの上側壁２１又は下側壁２２方向へ移動させたとしても非切除部１７が配線器具取付部２８に接触することなく上側壁２１又は下側壁２２のガイド部２５に当接される。
【００２８】
続いて、図５に２点鎖線に示す位置から非切除部１７をガイド部２５に当接させた状態を維持しながら周壁の延びる方向に沿って穿孔ビット１４を移動させると、ガイド部２５により非切除部１７及び切除刃部１６が配線用ボックス１１の開口の内周形状に沿って案内される。即ち、切除刃部１６が配線用ボックス１１の開口の内周形状に沿って壁材１３を切除しながら移動する。このとき、当接面１８ａの壁材１３表面に対する当接状態により、穿孔ビット１４の必要以上の壁材１３裏側への入り込みを規制した状態での切除工具１０ａの移動が可能となる。
【００２９】
また、配線器具取付部２８の先端面は上側壁２１及び下側壁２２の開口側端面より後退した位置に位置するため、非切除部１７が上側壁２１又は下側壁２２のガイド部２５に案内されて移動するとき、その非切除部１７が配線器具取付部２８に接触することがない。そして、ガイド部２５に案内されて、配線用ボックス１１の周壁全周に亘って穿孔ビット１４を移動させることにより、図６に示すように、配線用ボックス１１の開口の内周形状に沿った形状をなす透孔３１が壁材１３に穿設される。
【００３０】
最後に、図示しない保持枠に配線器具を保持させ、その保持枠の上下両端部に形成された挿通孔から雌ねじ部２８ｂに取付ビスを螺合して保持枠を介して配線器具を配線用ボックス１１に取付ける。さらに、配線器具を壁材１３の表側に臨ませた状態で配線用ボックス１１の開口を被覆する化粧プレートを壁材１３の表面に取付ける。このとき、透孔３１は配線用ボックス１１の開口の内周形状に沿って形成されているため、化粧プレートを壁材１３表面に取り付けたとき、透孔３１が化粧プレートからはみ出るといった不具合がなくなる。
【００３１】
前記の実施形態によって発揮される効果について、以下に記載する。
・  ビット軸１５の先端部に非切除部１７を設け、配線用ボックス１１の周壁内面の開口側全周に亘ってガイド部２５を設けた。そして、非切除部１７及び切除刃部１６をガイド部２５に案内させて移動させることにより配線用ボックス１１の開口の内周形状に沿った形状の透孔３１を壁材１３に穿設することができる。従って、一度の穿設作業により壁材１３に円形状の透孔３１を穿設する従来と異なり、その透孔３１と配線用ボックス１１の開口とが位置ずれしてしまうおそれをなくすことができる。その結果、壁材１３の表側から配線用ボックス１１内への配線器具の収容が不可能になったり、壁材１３表面に取り付けられる化粧プレートにより透孔３１が被覆されなかったりするといった不具合をなくすことができる。
【００３２】
・  非切除部１７及び切除刃部１６をガイド部２５に案内させて移動させる。そのため、万一、非切除部１７がガイド部２５から離れても、その位置を修正することができ、一度の穿設作業により壁材１３に円形状の透孔３１を穿設する従来と異なり透孔３１を誤った位置に穿設してしまうといった不具合をなくすことができる。
【００３３】
・  穿孔ビット１４をセットした切除工具１０ａの使用により壁材１３を容易に切除することができる。従って、鋸等を使用して壁材１３に透孔３１を手作業で穿設する従来と異なり、透孔３１の穿設作業の簡易化及び短時間化を図ることができる。
【００３４】
・  スリーブ１８をビット軸１５に位置決めした状態で当接面１８ａを壁材１３表面に当接させることにより、非切除部１７がガイド部２５の所定位置に当接した状態を維持することができるとともに、穿孔ビット１４が必要以上に壁材１３裏側へ入り込むのを防止することができる。従って、切除刃部１６によりガイド部２５が切除されてしまうといったおそれをなくすことができる。
【００３５】
・  スリーブ１８をビット軸１５に位置決めした状態で当接面１８ａを壁材１３表面に当接させることにより、切除工具１０ａ及び穿孔ビット１４を安定した状態で移動させることができ、透孔３１穿設作業を容易に行うことができる。
【００３６】
・  スリーブ１８はビット軸１５の軸線方向に沿って移動可能に設けられ、切除刃部１６の露出長さを調整することができる。従って、壁材１３の厚みに切除刃部１６の長さを対応させることができるとともに、非切除部１７をガイド部２５に当接させることができる。
【００３７】
・  配線器具取付部２８はその先端面が配線用ボックス１１の周壁の開口側端面より底壁２０側へ後退した位置に形成されている。そのため、配線器具取付部２８によりガイド部２５に沿った非切除部１７の移動が妨げられることなく、開口に沿って穿孔ビット１４を移動させることができ、開口に沿った透孔３１を確実に穿設することができる。
【００３８】
なお、本実施形態は、次のように変更して具体化することも可能である。
・  図７及び図８（ａ）に示す配線器具取付部２８を備えた配線用ボックス１１を使用してもよい。各配線器具取付部２８はボックス本体１９とは別部材により設けられている。底壁２０には、同底壁２０を貫通して貫通孔３２が形成され、底壁２０上面において、前記貫通孔３２を挟んだ相対向する位置には回動機構を構成する軸受け３３が形成されている。各配線器具取付部２８の基端部外面の相対向する位置には前記軸受け３３に係合可能な回動機構を構成する係合突起３４が突設されている。そして、各係合突起３４がそれぞれ軸受け３３に係合されて配線器具取付部２８が底壁２０に対して回動可能となるように配線用ボックス１１に設けられている。
【００３９】
また、各配線器具取付部２８の外面には一対の突片３５が突設され、各突片３５の先端部にはそれぞれ係止凸部３５ａが外方へ突設され、各係止凸部３５ａはそれぞれ突片３５の先端から基端側へ向かうに従い外方へ傾斜して延びて形成されている。一方、図８（ａ）、（ｂ）に示すように、上側壁２１及び下側壁２２には前記一対の突片３５が互いに近付くように弾性変形することにより通過可能な係止孔３６が形成されている。
【００４０】
そして、図８（ａ）に実線に示す位置にある配線器具取付部２８を２点鎖線に示す位置へ回動させると、各突片３５が係止孔３６内を通過し、その後、図８（ｂ）に示すように、係止凸部３５ａが上側壁２１外面又は下側壁２２外面に係止する。その係止状態において、配線器具取付部２８の底壁２０側への回動が規制されるとともに、各配線器具取付部２８の先端面が周壁の前端面とほほ同じ位置に位置して、ガイド部２５の近傍位置に配置される。
【００４１】
なお、配線器具取付部２８の基端部の一部分の外面と底壁２０上面とを一体形成するとともに、連結部分を肉薄に形成してヒンジを形成する。そして、そのヒンジを回動中心として配線器具取付部２８を上下方向へ回動可能に設けてもよい。さらに、ヒンジの代わりに蝶番を設けてもよい。
【００４２】
このように構成した場合、柱１２に配線用ボックス１１が取り付けられた状態で、各配線器具取付部２８を底壁２０側へ回動させておく。すると、壁材１３に透孔３１を穿設するとき、ガイド部２５の内側に非切除部１７が通過可能な通路が形成されているため、非切除部１７を配線器具取付部２８に干渉することなくガイド部２５に案内させることができる。
【００４３】
そして、透孔３１が穿設された後、各配線器具取付部２８を開口側へ回動させることにより、取付孔２８ａを周壁の開口側に位置させることができる。その結果、取付孔２８ａが配線用ボックス１１の開口側に臨んでいるため、取付孔２８ａが開口より後退した位置にある場合と比較して取付ビスを短くすることができ、また、取付ビスの螺合作業を短時間で行うことができる。加えて、係止凸部３５ａの各側壁２１，２２に対する係止により配線器具取付部２８の底壁２０側への回動が規制され、取付孔２８ａの位置ずれを防止することができる。
【００４４】
・  図９に示す配線器具取付部２８を備えた配線用ボックス１１を使用してもよい。各配線器具取付部２８は底壁２０上面から突設され、上面に開口が形成された筒状をなす受け部３９と、収容部４０とより形成されている。収容部４０は受け部３９内に収容される図９に実線に示す収容位置及び受け部３９内から突出する図９に２点鎖線に示す突出位置との間を移動可能であるとともに、先端側上面に取付孔２８ａが形成され、内部に雌ねじ部２８ｂが形成されている。受け部３９の上端内周縁には、その内周縁が内方へ延設されて係止端部３９ａが形成されている。
【００４５】
一方、収容部４０の下端外周縁には前記係止端部３９ａに係止可能な係止鍔４０ａが形成され、受け部３９内周面と収容部４０外周面との間には、前記突出位置に収容部４０を位置決めする位置決め手段（図示せず）が設けられている。そして、収容部４０を開口側へ移動させて突出位置に位置させ、係止鍔４０ａを係止端部３９ａに係止させるとともに、前記位置決め手段により突出位置に位置決めすると配線器具取付部２８が構成される。その配線器具取付部２８の先端面、即ち取付孔２８ａは周壁の開口側端面とほほ同じ位置に位置し、ガイド部２５の近傍位置に配置されている。
【００４６】
このように構成した場合、柱１２に配線用ボックス１１が取り付けられた状態において、各収容部４０を受け部３９内へ収容して、収容部４０をガイド部２５の近傍位置から離れる位置へ移動させておく。すると、壁材１３に透孔３１を穿設するとき、ガイド部２５の内側に非切除部１７が通過可能な通路が形成されているため、非切除部１７を配線器具取付部２８に干渉することなくガイド部２５に案内させることができる。
【００４７】
そして、透孔３１が穿設された後、各収容部４０を突出位置へ移動させることにより、取付孔２８ａを周壁の開口側に位置させることができる。その結果、取付孔２８ａが配線用ボックス１１の開口側に臨んでいるため、取付孔２８ａが開口より後退した位置にある場合と比較して取付ビスを短くすることができ、また、取付ビスの螺合作業を短時間で行うことができる。取付孔２８ａを周壁の開口側に位置させることができる。
【００４８】
・  図１０に示す配線器具取付部２８を備えた配線用ボックス１１を使用してもよい。各配線器具取付部２８はボックス本体１９とは別体に設けられている。配線器具取付部２８の基端部外周面には着脱手段としての雄ねじ４１が形成され、底壁２０には前記雄ねじ４１が螺合可能な着脱手段としての雌ねじ４２が螺刻された接続孔４３が形成されている。そして、前記雄ねじ４１を雌ねじ４２に螺合することにより配線器具取付部２８を底壁２０上面に取付可能であり、螺退することにより配線器具取付部２８を底壁２０から取外し可能に構成されている。
【００４９】
前記取付状態において、各配線器具取付部２８の先端面は周壁の前端面とほほ同じ位置に位置し、ガイド部２５の近傍位置に配置されている。なお、配線器具取付部２８の基端部の雄ねじ４１を省略するとともに、接続孔４３の雌ねじ４２を省略し、接続孔４３に配線器具取付部２８の基端部を無理嵌めし、配線器具取付部２８を配線用ボックス１１に取り付けてもよい。
【００５０】
このように構成した場合、柱１２に配線用ボックス１１が取り付けられた状態において、各配線器具取付部２８を底壁２０から取外し、配線器具取付部２８の先端側をガイド部２５の近傍位置から離れる位置へ移動させておく。すると、壁材１３に透孔３１を穿設するとき、ガイド部２５の内側に非切除部１７が通過可能な通路が形成されているため、非切除部１７を配線器具取付部２８に干渉することなくガイド部２５に案内させることができる。
【００５１】
そして、透孔３１が穿設された後、各配線器具取付部２８を底壁２０に取付けることにより、取付孔２８ａを周壁の開口側に位置させることができる。その結果、取付孔２８ａが配線用ボックス１１の開口側に臨んでいるため、取付孔２８ａが開口より後退した位置にある場合と比較して取付ビスを短くすることができ、また、取付ビスの螺合作業を短時間で行うことができる。取付孔２８ａを周壁の開口側に位置させることができる。
【００５２】
・  図１１に示す配線器具取付部２８が備えられた配線用ボックス１１を使用してもよい。各配線器具取付部２８は底壁２０上面から開口側へ突設された略筒状をなす支持部３７と、同支持部３７の上面に支持可能に設けられ、先端面に取付孔２８ａが形成されているとともに、内部に雌ねじ部２８ｂが形成された取付体３８とより形成されている。支持部３７の上部外面の相対向する位置には回動機構を構成する軸受け３３が形成されている。一方、取付体３８の下部外面の相対向する位置には前記軸受け３３に係合可能な回動機構を構成する係合突起３４が突設されている。そして、各係合突起３４がそれぞれ軸受け３３に係合されて取付体３８が支持部３７に対して回動可能に取り付けられている。各取付体３８を開口側へ回動させて支持部３７上面に支持させた状態において、各配線器具取付部２８が構成され、その先端面、即ち取付孔２８ａが周壁の前端面とほほ同じ位置に位置し、ガイド部２５の近傍位置に配置されている。
【００５３】
なお、取付体３８の下部外面の一部分と支持部３７上面の一部分とを一体形成するとともに、連結部分を肉薄に形成してヒンジを形成する。そして、そのヒンジを回動中心として取付体３８を上下方向へ回動可能に設けてもよい。さらに、ヒンジの代わりに蝶番を設てもよい。
【００５４】
このように構成した場合、柱１２に配線用ボックス１１が取り付けられた状態において、取付体３８を底壁２０側へ回動させ、取付体３８をガイド部２５の近傍位置から離れる位置へ移動させておく。すると、壁材１３に透孔３１を穿設するとき、ガイド部２５の内側に非切除部１７が通過可能な通路が形成されているため、非切除部１７を配線器具取付部２８に干渉することなくガイド部２５に案内させることができる。
【００５５】
そして、透孔３１が穿設された後、各取付体３８を開口側へ回動させることにより、取付孔２８ａを周壁の開口側に位置させることができる。その結果、取付孔２８ａが配線用ボックス１１の開口側に臨んでいるため、取付孔２８ａが開口より後退した位置にある場合と比較して取付ビスを短くすることができ、また、取付ビスの螺合作業を短時間で行うことができる。
【００５６】
・  底壁２０上面又は底壁２０を貫通して上側壁２１側及び下側壁２２側からそれぞれボックス本体１９内方へ直線状に延びる溝を形成し、その溝に各配線器具取付部２８の基端部を嵌め込む。各配線器具取付部２８を溝に嵌め込んだ状態で、各配線器具取付部２８の先端面、即ち取付孔２８ａが周壁の開口側端面とほほ同じ位置に配置され、溝と配線器具取付部２８の基端部との間に設けられた規制手段により各配線器具取付部２８の溝からの抜け出しが規制されている。そして、各配線器具取付部２８を前記溝の延びる方向に沿ってスライド移動可能に形成してもよい。
【００５７】
このように構成した場合、柱１２に配線用ボックス１１が取り付けられた状態において、各配線器具取付部２８を溝に沿ってボックス本体１９内方へスライド移動させ、ガイド部２５の近傍位置から離れる位置へ移動させておく。すると、壁材１３に透孔３１を穿設するとき、ガイド部２５の内側に非切除部１７が通過可能な通路が形成されているため、非切除部１７を配線器具取付部２８に干渉することなくガイド部２５に案内させることができる。また、取付孔２８ａが配線用ボックス１１の開口側に臨んでいるため、取付孔２８ａが開口より後退した位置にある場合と比較して取付ビスを短くすることができ、取付ビスの螺合作業を短時間で行うことができる。
【００５８】
・  配線器具取付体として枠状をなす配線器具取付枠を使用してもよい。そして、その配線器具取付枠において、周壁内面の一方の開口側全周に亘ってガイド部２５を形成するとともに、配線器具取付部２８をその先端面が一方の開口側から後退した位置に形成してもよい。
【００５９】
・  スリーブ１８をビット軸１５に対して移動不能に固定した状態で装着してもよい。また、スリーブ１８を省略してもよい。
・  図１２に示すように、非切除部１７のビット軸１５の軸線方向に沿った長さに対応するように、周壁の開口側端面から底壁２０側へ所定長さ薄肉に形成し、配線用ボックス１１の開口側全周に亘って周壁に段差面４４を形成してガイド部２５を形成してもよい。このように構成した場合、非切除部１７が段差面４４に当接することにより、穿孔ビット１４が必要以上に配線用ボックス１１内へ入り込まず、安定した状態でガイド部２５に沿って穿孔ビット１４を案内することができる。
【００６０】
・  非切除部１７を切除刃部１６の先端部に対して回転可能に取り付けてもよい。
・  底壁２０上面において、上側壁２１側及び下側壁２２側に一対の配線器具取付部２８を二箇所以上設け、保持枠に各配線器具取付部２８に対応する挿通孔を形成してもよい。このように構成した場合、配線器具取付部２８の雌ねじ部２８ｂに螺合される取付ビスの本数が増えるため、保持枠を介して配線器具を配線用ボックス１１に強固に取り付けることができる。
【００６１】
・  実施形態では、配線器具取付部２８を上側壁２１側及び下側壁２２側に設けたが、左側壁２３側及び右側壁２４側に少なくとも一対の配線器具取付部２８を設けてもよく、各側壁２１〜２４側それぞれに配線器具取付部２８を設けてもよい。
【００６２】
・  切除刃部１６外面又はシャンク１５ｃ外面に目盛を形成し、その目盛を基準にして切除刃部１６の露出長さを壁材１３の厚みに対応させてスリーブ１８の位置調整を行ってもよい。
【００６３】
・  非切除部１７の外面をゴム材料により被覆してもよい。このように構成した場合、非切除部１７がガイド部２５に当接したとき、ガイド部２５に対して非切除部１７を滑りにくくすることができる。
【００６４】
・  配線用ボックス１１の周壁の内周形状を円形状、三角形状、五角形状、菱形形状、楕円形状等に形成し、その周壁にガイド部２５を形成してもよい。そして、円形状、三角形状、五角形状、菱形形状、楕円形状等の透孔３１を壁材１３に穿設してもよい。
【００６５】
・  実施形態では、一体の切除工具１０ａ及び穿孔ビット１４を使用して透孔穿設作業を行ったが、二体以上の切除工具１０ａ及び穿孔ビット１４を使用して透孔穿設作業を行ってもよい。
【００６６】
さらに、前記実施形態より把握できる技術的思想について以下に記載する。
・  前記配線器具取付体はその開口内に所定の探知器により探知可能とする探知手段を備えている。このように構成した場合、探知器により探知手段を探知することにより、壁材の表側から壁材裏側の配線器具取付体の位置を探知することができ、透孔穿設作業の簡易化を図ることができる。
【００６７】
【発明の効果】
以上詳述したように、この発明によれば、次のような効果を奏する。
請求項１に記載の発明の透孔穿設方法によれば、配線器具取付体の開口の内周形状に沿った透孔を壁材に容易且つ正確に穿設して、開口と透孔の不一致に起因する不具合をなくすことができる。また、切除刃部の配線器具取付体内への必要以上の入り込みを防止して切除刃部により配線器具取付体を切除してしまうといったおそれをなくすことができる。
【００６８】
請求項２に記載の発明の配線器具取付体を使用する透孔穿設装置によれば、配線器具取付体の開口の内周形状に沿った透孔を壁材に容易且つ正確に穿設して、開口と透孔の不一致に起因する不具合をなくすことができる。また、切除刃部の配線器具取付体内への必要以上の入り込みを防止して切除刃部により配線器具取付体を切除してしまうといったおそれをなくすことができる。
【００７０】
請求項３に記載の発明の配線器具取付体を使用する透孔穿設装置によれば、請求項２に記載の発明の効果に加えて、非切除部をガイド部に当接させた状態で、切除刃部の露出長さを壁材の厚みに対応させることができ、壁材を確実に切除することができる。
【００７１】
請求項４に記載の発明の配線器具取付体を使用する透孔穿設装置によれば、請求項２又は請求項３に記載の発明の効果に加えて、配線器具を保護することができる。
【００７２】
請求項５に記載の発明の配線器具取付体を使用する透孔穿設装置によれば、請求項２〜請求項４のいずれか一項に記載の発明の効果に加えて、ガイド部に案内された非切除部の移動が配線器具取付部により妨げられることなく、ガイド部に沿って非切除部を移動させることができ、開口の内周形状に沿った透孔を確実に穿設することができる。
【図面の簡単な説明】
【図１】（ａ）は実施形態の透孔穿設装置を示す側面図、（ｂ）は図１（ａ）の１ａ−１ａ線断面図。
【図２】配線用ボックスを壁材裏側に設置した状態を示す斜視図。
【図３】実施形態の配線用ボックスを示す正面図。
【図４】図３の４−４線断面図。
【図５】穿孔ビットを移動させ壁材を切除する状態を示す側断面図。
【図６】壁材に透孔が穿設された状態を示す正面図。
【図７】別例の配線用ボックスを示す部分破断斜視図。
【図８】（ａ）は別例の配線器具取付部を示す図７の８ａ−８ａ線断面図、（ｂ）は別例の配線器具取付部を示す図７の８ｂ−８ｂ線断面図。
【図９】別例の配線用ボックスを示す部分側断面図。
【図１０】別例の配線用ボックスを示す部分側断面図。
【図１１】別例の配線用ボックスを示す部分側断面図。
【図１２】別例の配線用ボックスを示す側断面図。
【符号の説明】
１０…配線器具取付体を使用する透孔穿設装置、１１…配線器具取付体としての配線用ボックス、１３…壁材、１４…穿孔ビット、１５…ビット軸、１６…切除刃部、１７…非切除部、１８…当接体としてのスリーブ、２１〜２４…周壁を構成する側壁、２５…ガイド部、２８…配線器具取付部、３１…透孔。
【図１】
0003576968.tif 000002
【図２】
0003576968.tif 000003
【図３】
0003576968.tif 000004
【図４】
0003576968.tif 000005
【図５】
0003576968.tif 000006
【図６】
0003576968.tif 000007
【図７】
0003576968.tif 000008
【図８】
0003576968.tif 000009
【図９】
0003576968.tif 000010
【図１０】
0003576968.tif 000011
【図１１】
0003576968.tif 000012
【図１２】
0003576968.tif 000013